(57)【要約】      （修正有）【課題】別途屑入れを用意することなく、食品を収納している包装袋の一部を、屑入れとして利用し、衛生的にも気分的にもおいしく食することができる包装袋を提供する。【解決手段】包装袋１の底面部３より所要高さ位置に、４面の内少なくとも３面にミシン目又はカットテープなどの袋切断手段を設け、同袋切断手段を介して切り開き、包装袋１の底部を屑入れ部６として利用できるようにし、別途屑入れを必要とせず使い勝手が良い。【選択図】図４
0003144240.tif 000002
【実用新案登録請求の範囲】
【請求項１】
包装袋の底面部より所要高さ位置に、４面の内少なくとも３面に袋切断手段を設け、同袋切断手段を介して切り開き、包装袋の底部を屑入れ部として利用できるようにしたことを特徴とする包装袋。
【考案の詳細な説明】
【技術分野】
【０００１】
本考案は、ファーストフード等における食品の包装袋に係り、特に包装袋の一部を屑入れとして利用できるようにした包装袋に関するものである。
【背景技術】
【０００２】
ファーストフード等で用いられる食品包装用の包装袋としては、一般に厚さや大きさに関係なく上部を開口した包装袋が用いられ、食品を収納する際にこの包装袋を広げて上部の開口部から食品を収納した後、同開口部位を折り畳んで閉じ持ち歩くようにしている。
【０００３】
例えば、行楽地などで焼き芋や骨付き鳥のから揚げなどのファーストフード等を購入して食べ歩きする場合、上記包装袋の折り畳んだ開口部位を開けて食品を少しずつ取り出し食するが、この際食品を食して出た屑は、道路上に投げ捨てるか、又はその包装袋内に入れるようにしていた。
【考案の開示】
【考案が解決しようとする課題】
【０００４】
食品を食して出た屑を道路上に投げ捨てるのは、マナー上好ましくないばかりか、行楽地の美観・衛生を害するものであり問題である。また、包装袋内に入れるのは、食品と屑が一緒になるため、衛生的にも気分的にもあまり良いものではなく、食品をおいしく食べることができない。仮に食品と屑を一緒にしたくなければ、別途屑入れを予め用意しておく必要があった。
本考案は上記点に鑑みなされたもので、別途屑入れを用意することなく、食品を収納している包装袋の一部を屑入れとして利用して、衛生的にも気分的にもおいしく食することができるようにしたものである。
【課題を解決するための手段】
【０００５】
本考案は、包装袋の底面部より所要高さ位置に、４面の内少なくとも３面に袋切断手段を設け、同袋切断手段を介して切り開き、包装袋の底部を屑入れ部として利用できるようにしたことを特徴とする。
【考案の効果】
【０００６】
本考案によれば、包装袋に入った食品を食する際に屑が発生した場合、包装袋の底部を屑入れ部として利用できるので、屑の投げ捨てを防止できると共に、別途屑入れを用意する必要もなく、使い勝手もよく衛生的且つ気分的にもおいしく食することができる。また、屑入れを用意するものに対し、別途資材が増えることもなく低コストで安価に実施できる。
【考案を実施するための最良の形態】
【０００７】
以下、図に基づいて本考案の包装袋を詳細に説明する。
【０００８】
図１において、１は包装袋本体で、胴部２と、その下端に形成した閉塞した底面部３と、その上端に形成した開口した開口部４とから構成している。なお、図１中包装袋の入り口は上部となるが、上記胴部２に文字や絵を印刷する場合、印刷方向は上下逆とした方がよい。
【０００９】
５は底面部３から所要高さｈを介して上記胴部２に形成したミシン目で、例えば図２に示すようにａ−ｂ、ｂ−ｃ、ｃ−ｄ間に形成し、胴部２を構成する４側面の内３面を切断可能としている。
【００１０】
次にその使用時について説明する。図１に示すように包装袋本体１を開き上部を開口し、その上部開口部４から食品例えば焼き芋を収納する。そして、図３に示すようにその上部開口部４を折り返して畳み閉じる。この状態で折り返した部分を持つか、底面部３を手のひらに載せて持ち歩く。
【００１１】
食品を食べ歩きする場合には、上記包装袋を逆にし、ミシン目５をａ−ｂ、ｂ−ｃ、ｃ−ｄ間に沿って切断し、ミシン目のないｄ−ａの部分を折り目にして約１８０度折り返し、図４に示すように包装袋本体１の底部を屑入れ部６として形成する。そして、食した屑をこの屑入れ部６内に入れる。これにより、食した屑を道路に投げ捨てることもなくなり、また食品と食べ屑を一緒に収納することもなく衛生的で且つ気分的にもおいしく食することができる。
【００１２】
なお、上記実施例においては、ミシン目５をａ−ｂ、ｂ−ｃ、ｃ−ｄ間に形成するようにしたが、必要に応じてｄ−ａ間にも形成し、４面全てを切断可能に形成してもよい。この場合、ａ−ｂ、ｂ−ｃ、ｃ−ｄ間を切断してｄ−ａの部分を折り返す際、ｄ−ａ間のミシン目５が折り目となって折返し作業が容易となる。また、ベンチなどで座って食する場合など、ミシン目５をａ−ｂ、ｂ−ｃ、ｃ−ｄ、ｄ−ａ間全て切断し屑入れ部６を包装袋本体１から完全に切り離すことにより、必要に応じて屑入れ部６を脇に置いて食することも可能となる。
【００１３】
また、上記実施例においては、包装袋本体１の底部を切断するためにミシン目５を形成するようにしたが、例えばカットテープなどの切断手段でもよく、図５に示すように３面に渡って切断可能なようにカットテープ７を設ける。或いは図６に示すように３面に渡って切断可能な第１カットテープ８と共に、残りの１面を切断可能な第２カットテープ９を設けるようにしてもよい。この場合、ミシン目５の場合は包装袋本体１の底部強度が低下し、場合によって食品を収納して持ち歩く際にこのミシン目５から裂ける危険性や、ミシン目５の隙間から食品に付着している汁や油がにじみ出る可能性もあるが、カットテープにあっては強度低下が低下しないので裂けることもなく、切断操作も容易で使い勝手がよいばかりか、ミシン目５のような包装袋本体１周囲に隙間が形成されることもなく、同部から食品に付着している汁や油がにじみ出る虞もなく、安心して持ち歩くことができる。
【００１４】
なお、上記第１、第２カットテープ８、９の色を変え、例えば第１カットテープは赤色に、第２カットテープは黄色に色を変えると、３面を切断する場合と４面全て切断する場合とで、いずれのカットテープで切断すればよいか判別し易く、使用者にとって分かり易く使い勝手のよいものとなる。
【産業上の利用可能性】
【００１５】
焼き芋や骨付きから揚げなどファートフードの包装袋に摘要可能であり、行楽地でのファートフードの包装袋として有用である。
【図面の簡単な説明】
【００１６】
【図１】本考案の包装袋の斜視図。
【図２】本考案の包装袋のミシン目の形成形態を示す図。
【図３】本考案の包装袋の食品の入り口を閉じた状態を示す斜視図。
【図４】本考案の包装袋の底部を屑入れ部とした状態を示す斜視図。
【図５】本考案のカットテープの切断手段を示す斜視図。
【図６】本考案の他の実施例のカットテープの切断手段を示す斜視図。
【符号の説明】
【００１７】
１    包装袋本体
２    胴部
３    底面部
４    開口部
５    ミシン目
６    屑入れ部
７、８，９    カットテープ
【図１】
0003144240.tif 000003
【図２】
0003144240.tif 000004
【図３】
0003144240.tif 000005
【図４】
0003144240.tif 000006
【図５】
0003144240.tif 000007
【図６】
0003144240.tif 000008